(57)【要約】【課題】汗などの水分を異方的に拡散することにより、スポーツ用衣料やインナー用衣料として用いた際、汗によるぬれ感やベトツキ感を低減することができる、着用快適性に優れた編地および衣料を提供する。【解決手段】水との接触角が８０度未満の繊維からなる糸条Ａと、水との接触角が８０度以上の撥水性繊維からなる糸条Ｂとで構成される編地であって、該編地の表面に前記糸条Ａのみからなる領域ＳＡと前記糸条Ｂのみからなる領域ＳＢが存在し、かつ領域ＳＢが縞状のパターンで存在していることを特徴とする異方的な吸水拡散性を有する編地を編成し、該編地を用いて衣料を得る。【選択図】図１
2006225784.tif 000002
【特許請求の範囲】
【請求項１】
水との接触角が８０度未満の繊維からなる糸条Ａと、水との接触角が８０度以上の撥水性繊維からなる糸条Ｂとで構成される編地であって、該編地の表面に前記糸条Ａのみからなる領域ＳＡと前記糸条Ｂのみからなる領域ＳＢが存在し、かつ領域ＳＢが縞状のパターンで存在していることを特徴とする異方的な吸水拡散性を有する編地。
【請求項２】
領域ＳＢの巾ｗが０．１〜５ｍｍの範囲内である、請求項１に記載の異方的な吸水拡散性を有する編地。
【請求項３】
領域ＳＢにおいて、長さｌと巾ｗとの比ｌ／ｗが１００以上である、請求項１または請求項２に記載の異方的な吸水拡散性を有する編地。
【請求項４】
隣りあう領域ＳＢの間隔ｄが０．２〜１０ｍｍの範囲内である、請求項１〜３のいずれかに記載の異方的な吸水拡散性を有する編地。
【請求項５】
領域ＳＢの面積割合が編地全体の１０〜５０％の範囲内である、請求項１〜４のいずれかに記載の異方的な吸水拡散性を有する編地。
【請求項６】
糸条Ａが、ポリエステル繊維、ナイロン繊維、レーヨン繊維、アセテート繊維、綿、絹からなる群より選択されるいずれかの繊維からなる、請求項１〜５のいずれかに記載の異方的な吸水拡散性を有する編地。
【請求項７】
糸条Ｂが、フッ素樹脂繊維またはポリオレフィン繊維である、請求項１〜６のいずれかに記載の異方的な吸水拡散性を有する編地。
【請求項８】
編地において、経方向および緯方向のうち、どちらか一方向の吸水拡散性が他方向の２倍以上である、請求項１〜７のいずれかに記載の異方的な吸水拡散性を有する編地。
ただし、吸水拡散性とは、ＪＩＳＬ１９０７−５．１．１（滴下法）により編地に水滴１滴を摘下し３分経過した後の、経方向または緯方向の拡散距離（ｍｍ）のことである。
【請求項９】
請求項１〜８のいずれかに記載の編地を用いてなり、領域ＳＢのパターンの連続する方向が上下方向となるよう縫製してなる衣料。
【発明の詳細な説明】
【技術分野】
【０００１】
本発明は、汗などの水分を異方的に拡散することにより、スポーツ用衣料やインナー用衣料として用いた際、汗によるぬれ感やベトツキ感を低減することができる、着用快適性に優れた編地および衣料に関するものである。
【背景技術】
【０００２】
従来、合成繊維や天然繊維などからなる編地を、スポーツ用衣料やインナー用衣料などとして使用すると、肌からの発汗によりムレやベトツキが発生するという問題があった。
かかる対策として、異形断面形状の合成繊維を用いて、織編物の吸水量を向上させる方法や、汗を肌面から表面に素早く移行させ、肌面をドライな状態に保つことができる特殊多層構造の編地が提案されている（特許文献１、特許文献２、特許文献３、特許文献４、特許文献５参照）。
しかしながら、これらの編地では、発汗初期に見られるような少量の発汗に対しては有効であるものの、多量に発汗した場合にはあまり効果が発現されなかった。
【０００３】
【特許文献１】特開平１１−１０７１３８号公報
【特許文献２】特開平３−１８５１５９号公報
【特許文献３】特開平４−４１７５０号公報
【特許文献４】特開平５−３３１７４７号公報
【特許文献５】特開平１１−１２４７１７号公報
【発明の開示】
【発明が解決しようとする課題】
【０００４】
本発明は前記従来技術に鑑みなされたものであり、その課題は、汗などの水分を異方的に拡散することにより、スポーツ用衣料やインナー用衣料として用いた際、汗によるぬれ感やベトツキ感を低減することができる、着用快適性に優れた編地および衣料を提供することにある。
【課題を解決するための手段】
【０００５】
本発明者らは上記の課題を達成するため、スポーツシャツやインナーウエアーの着用テストを行い、発汗時のぬれ感やベトツキ感の発生原因を調べたところ、運動により発汗した際、吸収される汗の量が衣服の部位によって異なり、局所的に生地の飽和吸水量を超えている個所があり、その個所でぬれ感やベトツキ感を感じていることを見出した。
【０００６】
具体的には、半そでのスポーツシャツを着用し運動した場合、首、胸、背中（上部）といった上半身の中でも特に上部位において生地が汗をよく吸っており、ぬれ感やベトツキ感が強いことが分った。
【０００７】
この原因の一つは、スポーツシャツの場合、特に胸や背中（上部）は生地が体に沿って接触しているが、腹や背中（下部）は離れているためと考えられる。
さらに大きい原因としては、汗は頭や顔で特に多くかき、その汗は首筋を伝わって、胸や背中（上部）に移動するため、シャツの中でも特に胸や背中（上部）に飽和吸水量を越えた量の汗が存在するためと考えられる。
【０００８】
以上のことから、ぬれ感やベトツキ感を低減させるためには、衣服の体幹上部（胸や背中上部）で吸った汗をいかにして衣服の体幹下部（腹や背中下部）に移動させるかが重要であることが分った。
【０００９】
かくして、本発明によれば「水との接触角が８０度未満の繊維からなる糸条Ａと、水との接触角が８０度以上の撥水性繊維からなる糸条Ｂとで構成される編地であって、該編地の表面に前記糸条Ａのみからなる領域ＳＡと前記糸条Ｂのみからなる領域ＳＢが存在し、かつ領域ＳＢが縞状のパターンで存在していることを特徴とする異方的な吸水拡散性を有する編地。」が提供される。
【００１０】
ここで、領域ＳＢの巾ｗが０．１〜５ｍｍの範囲内であることが好ましい。また、領域ＳＢにおいて、長さｌと巾ｗとの比ｌ／ｗが１００以上であることが好ましい。また、隣りあう領域ＳＢの間隔ｄが０．２〜１０ｍｍの範囲内であることが好ましい。領域ＳＢの面積割合としては、編地全体の１０〜５０％の範囲内であることが好ましい。また、前記の糸条Ａが、ポリエステル繊維、ナイロン繊維、レーヨン繊維、アセテート繊維、綿、絹からなる群より選択されるいずれかの繊維からなることが好ましい。一方、前記の糸条Ｂが、フッ素樹脂繊維またはポリオレフィン繊維であることが好ましい。
【００１１】
本発明の編地において、経方向および緯方向のうち、どちらか一方向の吸水拡散性が他方向の２倍以上であることが好ましい。
ただし、吸水拡散性とは、ＪＩＳＬ１９０７−５．１．１（滴下法）により編地に水滴１滴を摘下し３分経過した後の、経方向または緯方向の拡散距離（ｍｍ）のことである。
【００１２】
また本発明によれば、前記の編地を用いてなり、領域ＳＢのパターンの連続する方向が上下方向となるよう縫製してなる衣料が提供される。
【発明の効果】
【００１３】
本発明によれば、汗などの水分を異方的に拡散することにより、スポーツ用衣料やインナー用衣料として用いた際、汗によるぬれ感やベトツキ感を低減することができる、着用快適性に優れた編地および衣料が得られる。
【発明を実施するための最良の形態】
【００１４】
まず、本発明の編物は、水との接触角が８０度未満の繊維からなる糸条Ａと、水との接触角が８０度以上の撥水性繊維からなる糸条Ｂとで構成される。
ここで、糸条Ａを形成する、水との接触角が８０度未満の繊維としては、綿や絹などの天然繊維、レーヨン繊維やアセテート繊維などの半合成繊維、ポリエステル繊維やナイロン繊維などが例示される。なかでも、繊維強度などの点でポリエステル繊維が好ましい。
【００１５】
一方、糸条Ｂを形成する撥水性繊維としては、フッ素樹脂繊維、ポリオレフィン繊維、撥水加工を施したポリエステル繊維などが例示される。
これらの繊維中には、本発明の主目的が損なわれない範囲内であれば、微細孔形成剤、カチオン可染剤、着色防止剤、熱安定剤、蛍光増白剤、艶消し剤、着色剤、帯電防止剤、吸湿剤、無機微粒子等が１種又は２種以上含まれていてもよい。
【００１６】
また、前記糸条Ａや糸条Ｂを形成する繊維の繊維形態は特に限定されず、短繊維でもよいし長繊維でもよい。繊維の断面形状も特に限定されず、丸、三角、扁平、中空など公知の断面形状が採用できる。糸条の総繊度、単糸繊度、フィラメント数も特に限定されないが、風合いや生産性の点で総繊度３０〜３００ｄｔｅｘ、単糸繊度０．６〜１０ｄｔｅｘ、フィラメント数１０〜３００本の範囲が好ましい。
【００１７】
次に、本発明の編物において、編地表面に前記糸条Ａのみからなる領域ＳＡと前記糸条Ｂのみから領域ＳＢが存在し、かつ領域ＳＢが縞状のパターンで存在している。
かかるパターンの具体的な例としては、図１に模式的に示す経縞（ストライプ）状パターン、図２に模式的に示す緯縞状パターン、および斜め縞状パターンなど、経方向または緯方向のどちらか一方に連続するパターンが例示される。格子パターンや市松パターンでは十分な異方的拡散性が得られず好ましくない。かかるパターンにおいて、吸汗した汗は、糸条Ａのみからなる領域ＳＡに沿って異方的に拡散するため、汗によるぬれ感やベトツキ感を低減することができる。
【００１８】
前記の領域ＳＢの巾ｗとしては、０．１〜５ｍｍ（より好ましくは０．２〜４ｍｍ）の範囲内であることが好ましい。かかる領域ＳＢの巾ｗが５ｍｍよりも大きいと、編地の吸水性が低下し、編地を衣料として着用した際、汗が肌に残り易くなるおそれがある。
【００１９】
また、領域ＳＢにおいて、長さｌと巾ｗとの比ｌ／ｗが１００以上（より好ましくは１０００以上）であることが好ましい。
また、隣りあう領域ＳＢの間隔ｄとしては、０．２〜１０ｍｍ（より好ましくは０．５〜５ｍｍ）の範囲内であることが好ましい。
【００２０】
本発明の編地において、領域ＳＢの面積割合は編地全体の１０〜５０％の範囲内であることが好ましい。また、該編地の表面が前記糸条Ａのみからなる領域ＳＡと前記糸条Ｂのみから領域ＳＢが存在し、かつ領域ＳＢが縞状のパターンで存在している限り、糸条Ａと糸条Ｂとで構成される領域ＳＣが存在していてもさしつかえない。なお、領域ＳＢは、編地の経方向または緯方向のどちらか一方の方向に編地の端から端まで連続していることが好ましいが、本発明の主目的である異方的な吸水拡散性が得られる限り、不連続な個所があってもさしつかえない。
【００２１】
本発明の編地を製造方法としては、以下の製造方法が例示される。すなわち、まず通常の経編機を使用して、糸条Ａをフルセットでフロント筬に通し、糸条Ｂをフルセットでバック筬に通し、フロント１０−０１、バック２２−００の編組織で編成する方法や、フロント筬およびバック筬に糸条Ａと糸条Ｂとを複数本交互のボーダー配列でセットし、フロント１０−２３、バック１２−１０の編組織で編成する方法、さらには、丸編機を用いて、糸条Ａと糸条Ｂとを複数本交互のボーダー配列でセットし天竺やスムースの編組織で編成する方法などが例示される。
【００２２】
製編された編地には、常法の染色仕上げ加工が施されてもよい。さらには、本発明の主目的が損なわれない範囲であれば、常法の吸水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２３】
本発明の編地において、編地中に前記糸条Ａのみからなる領域ＳＡと前記糸条Ｂのみから領域ＳＢが存在し、かつ領域ＳＢが縞状のパターンを形成しているので、吸汗した汗は領域ＳＡに沿って拡散し、異方的な吸水拡散性を呈することとなる。
【００２４】
かかる吸水分散性としては、経方向および緯方向のうち、どちらか一方向の吸水拡散性が他方向の２倍以上（より好ましくは５〜５０倍）であることが好ましい。どちらか一方向の水拡散性が他方向の２倍未満であると、該編地を用いて衣服を縫製し着用した際、汗が多く溜まる体幹上部から体幹下部への移動が十分に起こらず、体幹上部で肌に汗が残り、ぬれ感やベトツキ感を感じるやすくなるおそれがある。
【００２５】
ただし、吸水拡散性とは、ＪＩＳＬ１９０７−５．１．１（滴下法）により編地に水滴１滴を摘下し３分経過した後の、経方向または緯方向の拡散距離（ｍｍ）のことである。
次に本発明の繊維製品は、前記の編地を用いてなり、領域ＳＢのパターンの連続する方向が上下方向となるよう縫製してなる衣料である。かかる衣料において、汗が多く溜まる体幹上部から体幹下部への移動が十分に起こるため、体幹上部に汗が残らず、汗によるぬれ感やベトツキ感を低減することができるため、スポーツ用衣料やインナー用衣料として好適に使用することができる。
【実施例】
【００２６】
次に本発明の実施例及び比較例を詳述するが、本発明はこれらによって限定されるものではない。なお、実施例中の各測定項目は下記の方法で測定した。
【００２７】
＜繊維と水との接触角＞
試料となる繊維を、撚り係数が１５０００となるよう撚りをかけ、該撚糸１２ｃｍをカットし、輪を作り端を結ぶ。このサンプルを接触角測定機（レスカ社製ＷＥＴ６０００）を用いて、水中に上げ下げして、水の中に引き込まれる力（濡れ応力）を測定し、下記式より接触角を算出する。
【００２８】
【数１】
2006225784.tif 000003
ただし、撚り係数は、下記式により求めるものとする。
撚係数＝撚数（Ｔ／ｍ）×（糸条の総繊度（ｄｔｅｘ）×９÷１０）１／２
【００２９】
＜吸水拡散性＞ＪＩＳＬ１９０７−５．１．１（滴下法）により編地に水滴１滴を摘下し３分経過した後の、経方向および緯方向の拡散距離（ｍｍ）を測定した。そして、経方向および緯方向のうち、拡散距離の大きい方（Ｌｍａｘ）と小さい方（Ｌｍｉｎ）との比（Ｌｍａｘ／Ｌｍｉｎ）を算出した。なお、ｎ数は５とし、平均値を求めた。
【００３０】
＜ベトツキ感＞実施例および比較例の編物を用いて半そでＴシャツを縫製し、温度２８℃、湿度５０％ＲＨに調節された室内にて、被験者３人が下記の運動工程を行った際の着用快適性をベトツキ感大、ベトツキ感小（着用快適性に優れる）の２段階に評価した。
運動工程：安静５分、ランニング１５分（１０ｋｍ／ｈ）、安静２０分
【００３１】
［実施例１］
２８ゲージのトリコット編機を用いて、糸条Ａとして通常のポリエチレンテレフタレート捲縮加工糸条（総繊度５６ｄｔｅｘ／３６ｆｉｌ、捲縮率：３０％、水との接触角が８０度未満、帝人ファイバー（株）製）をフルセットでフロント筬に通し、一方、糸条Ｂとして四フッ化エチレン・六フッ化プロピレン共重合樹脂マルチフィラメント（総繊度７９ｄｔｅｘ／１２ｆｉｌ、水との接触角が１１５度、東洋ポリマー（株）製）をフルセットでバック筬に通し、フロント１０−０１、バック２２−００の編組織、機上密度１００コース／２．５４ｃｍの編条件で編地を編成し、この編地に通常の染色仕上げ加工を施し、密度６８コース／２．５４ｃｍ、４９ウエール／２．５４ｃｍの編地を得た。その際、吸水加工剤（ポリエチレンテレフタレート−ポリエチレングリコール共重合体）を染液に対し２ｍｌ／ｌの割合にて、染色加工時に同浴処理を行うことにより、吸水加工を施した。
【００３２】
得られた編地において、前記糸条Ａのみからなる領域ＳＡと前記糸条Ｂのみから領域ＳＢが存在し、領域ＳＡと領域ＳＢが図１に模式的に示すように経縞状のパターンを形成していた。また、領域ＳＢの巾ｗが０．３ｍｍ、隣りあう領域ＳＢの間隔ｄが０．４ｍｍ、領域ＳＢの面積割合が編地全体の３０％であった。
【００３３】
かかる編地の吸水拡散性を測定したところ、経方向１００ｍｍ、緯方向５ｍｍ、両者の比２０倍で異方的な吸水拡散性を有するものであった。
次いで、該編地を用いて経縞状のパターンが連続する方向が衣料の上下方向となるように半そでＴシャツ（経縞のＴシャツ、スポーツ用衣料）を縫製し、ベトツキ感を評価したところ、ベトツキ感大が０人、ベトツキ感小が３人と着用快適性に優れるものであった。
【００３４】
［実施例２］
２８ゲージのトリコット編機を用いて、実施例１で使用したのと同じポリエチレンテレフタレート捲縮加工糸条および四フッ化エチレン・六フッ化プロピレン共重合樹脂マルチフィラメントを、フロント筬およびバック筬のそれぞれに前者：後者で３０本：３本のボーダー配列でセットし、フロント１０−２３、バック１２−１０の編組織で、機上密度６０コース／２．５４ｃｍの編条件にて編地を編成し、実施例１と同様に、該編地に染色加工および吸水加工を施し、密度５２コース／２．５４ｃｍ、４５ウエール／２．５４ｃｍの編地を得た。
【００３５】
得られた編地において、前記糸条Ａのみからなる領域ＳＡと前記糸条Ｂのみから領域ＳＢが存在し、領域ＳＡと領域ＳＢが図１に模式的に示すように経縞状のパターンを形成していた。また、領域ＳＢの巾ｗが０．２ｍｍ、隣りあう領域ＳＢの間隔ｄが２ｍｍ、領域ＳＢの面積割合が編地全体の１５％であった。
【００３６】
かかる編地の吸水拡散性を測定したところ、経方向６０ｍｍ、緯方向７ｍｍ、両者の比８．６倍で異方的な吸水拡散性を有するものであった。
次いで、該編地を用いて経縞状のパターンが連続する方向が衣料の上下方向となるように半そでＴシャツ（経縞のＴシャツ、スポーツ用衣料）を縫製し、ベトツキ感を評価したところ、ベトツキ感大が０人、ベトツキ感小が３人と着用快適性に優れるものであった。
【００３７】
［比較例１］
実施例１において、バック筬にポリエチレンテレフタレートマルチフィラメント（総繊度８４ｄｔｅｘ／２４ｆｉｌ、水との接触角が８０度未満、帝人ファイバー（株）製）を用いること以外は、実施例１と同様に、製編、染色加工、吸水加工を行い、密度７０コース／２．５４ｃｍ、５１ウエール／２．５４ｃｍの編地を得た。
【００３８】
かかる編地の吸水拡散性を測定したところ、経方向５０ｍｍ、緯方向２８ｍｍ、両者の比１．８倍で異方的な吸水拡散性の点で不十分なものであった。
次いで、該編地を用いて半そでＴシャツ（スポーツ用衣料）を縫製し、ベトツキ感を評価したところ、ベトツキ感大が３人、ベトツキ感小が０人と着用快適性に劣るものであった。
【産業上の利用可能性】
【００３９】
本発明によれば、汗などの水分を異方的に拡散することにより、スポーツ用衣料やインナー用衣料として用いた際、汗によるぬれ感やベトツキ感を低減することができる、快適性に優れた編地および繊維製品が得られ、その工業的価値は極めて大である。
【図面の簡単な説明】
【００４０】
【図１】本発明に係る編地において採用することのできる経縞状パターンを模式的に示す図である。
【図２】本発明に係る編地において採用することのできる緯縞状パターンを模式的に示す図である。
【符号の説明】
【００４１】
１  領域ＳＡ
２  領域ＳＢ
３  領域ＳＡ
４  領域ＳＢ
【図１】
2006225784.tif 000004
【図２】
2006225784.tif 000005